(57)【要約】【課題】光書き込み型の画像記録媒体の特性を生かし、多量の情報を複数の光書き込み型記録媒体に高速記録することができる画像記録装置を提供する。【解決手段】画像信号に応じた画像を表示する画像表示部１０と、画像表示部に表示された画像を所定の位置に結像させる結像光学系３０と、画像を表わす光の照射と電圧の印加とにより該画像が記録される画像記録媒体を所定の位置に搬送する搬送部と、結像光学系により結像させる画像の結像位置および該結像位置に配置される画像記録媒体に電圧を印加する電圧印加手段を有する複数の画像書込部４０ａ，４０ｂと、搬送部に、画像記録媒体を複数の画像書込部の結像位置に順次搬送させるとともに、電圧印加手段から電圧を印加させることにより該記録媒体に該結像位置に結像させた画像を記録する制御部とを備えた。【選択図】　図１
2004034672.tif 000002
【特許請求の範囲】
【請求項１】
画像信号に応じた画像を表示する画像表示部と、
前記画像表示部に表示された画像を複数の結像位置に結像させる結像光学系と、
画像を表わす光の照射と電圧の印加とにより該画像が記録される複数の画像記録媒体を前記複数の結像位置に交互にあるいは循環的に搬送する搬送部と、
前記複数の結像位置それぞれに搬送されてきた各画像記録媒体に電圧を印加する各電圧印加手段を有する複数の画像書込部とを備えたことを特徴とする画像記録装置。
【請求項２】
前記画像表示部は、必要枚数の画像記録媒体に画像が記録された後、表示画像を切り替えるものであることを特徴とする請求項１記載の画像記録装置。
【請求項３】
前記結像光学系は、光路を分岐させる分岐光学系を備え、前記分岐光学系により前記画像表示部に表示された画像を前記複数の画像書込部の結像位置に同時に結像させるものであることを特徴とする請求項１記載の画像記録装置。
【請求項４】
前記結像光学系は、反射面が複数の向きを向く可動ミラーを備え、前記可動ミラーの反射面を前記複数の向きのうちの所定の向きに向けることにより前記画像表示部に表示された画像を所定の結像位置に順次結像させるものであることを特徴とする請求項１記載の画像記録装置。
【請求項５】
前記画像書込部は、前記搬送部により搬送されてきた前記画像記録媒体を前記結像位置に配置するガイドロールを備え、前記電圧印加手段は、前記ガイドロールに給電することにより前記画像記録媒体に電圧を印加するものであることを特徴とする請求項１記載の画像記録装置。
【請求項６】
前記画像記録媒体を収容するトレイを備え、
前記搬送部は、前記トレイに収容された画像記録媒体を前記複数の画像書込部の前記結像位置に順次搬送するものであることを特徴とする請求項１記載の画像記録装置。
【請求項７】
前記画像記録媒体を収容する、前記複数の画像書込部それぞれに対応した複数のトレイを備え、
前記搬送部は、前記複数のトレイに収容された画像記録媒体を対応する前記複数の画像書込部それぞれの前記結像位置に順次搬送するものであることを特徴とする請求項１記載の画像記録装置。
【発明の詳細な説明】
【０００１】
【発明の属する技術分野】
本発明は、画像を表わす光の照射と電圧の印加とによりその画像が記録される光書き込み型の画像記録媒体に画像を記録する画像記録装置に関する。
【０００２】
【従来の技術】
従来、ディスプレイ装置に表示された画像は、紙媒体にハードコピーするのが一般的である。近年は、ＯＡ化が進展し、紙の消費量も増大の一途をたどっており、材料となる木材の伐採による森林資源の枯渇化や廃棄物処理量の増大による環境問題が大きくクローズアップされ、紙に代わる新しい媒体への開発期待が高まっている。またＰＣ、インターネット、モバイルなどに象徴されるように情報の電子化が進展し、電子化された情報に親和性の高い記録媒体を期待する声も高まっている。
【０００３】
このような背景の下、紙の持つ特性を生かした、紙に近いインーターフェイスをもつ、いわゆる「電子ペーパー」と呼ばれるような新しい記録媒体の研究が盛んに行われている。例えば、「Ｈ．Ｙｏｓｈｉｄａ，Ｔ．Ｔａｋｉｚａｗａら“Ｒｅｆｌｅｃｔｉｖｅ　Ｄｉｓｐｌａｙ　ｗｉｔｈ　Ｐｈｏｔｏｃｏｎｄｕｃｔｉｖｅ　Ｌａｙｅｒ　ａｎｄ　ａ　Ｂｉｓｔａｂｌｅ，Ｒｅｆｌｅｃｔｉｖｅ　Ｃｈｏｌｅｓｔｅｒｉｃ　Ｍｉｘｔｕｒｅ”ＳＩＤ’９６　ＡＰＰＬＩＣＡＴ１０ＮＳ　ＤＩＧＥＳＴ　ｐ５９〜ｐ６２」に紹介されているように、コレステリック液晶よりなる表示素子とアモルファスシリコンよりなる光スイッチング素子とを備えた画像記録媒体や、「Ｊａｐａｎ　Ｈａｒｄｃｏｐｙ’９６　ＦａｌｌＭｅｅｔｉｎｇ　ｐ２５」に紹介されているように、メモリ性のある液晶素子と有機感光体を積層した画像入カシステムであるエルグラフィシステムなどがある。
【０００４】
光書き込み型の画像記録媒体は、一般的に、所定の電圧を印加するとともに、受光した光量により光導電性スイッチング素子のインピーダンスを変化させ、表示素子に印加される電圧を制御することにより、表示素子を駆動し、画像を表示するものである。このような光書き込み型の画像記録媒体の表示素子に用いる材料としては、コレステリック液晶の他に、ネマチック液晶、ツイストネマチック液晶、スーパーツイスト液晶、スメクチック液晶などの液晶材料や、表面安定化強誘電液晶、液晶材料をポリマー分散化したポリマー分散化液晶、液晶材料をカプセル化したカプセル化液晶などが知られている。
【０００５】
特にメモリ性を有する表示材料を利用したものは、記録された画像を保持するのに電力を必要としないため、電圧が印加されていなくても表示された画像を保持することができるので、画像を記録した後、書き込み装置から画像記録媒体を切り離し、その画像記録媒体を持ち歩くことができる。
【０００６】
メモリ性を有する表示材料としては、例えば、コレステリック液晶、強誘電液晶や、ポリマー分散化液晶、カプセル化液晶などがある。また受光した光量により電圧あるいは電流を制御できる素子としては、例えば、ＣＣＤに用いられるフォトダイオードや密着型イメージセンサに用いられるアモルファスシリコン素子の他、エルグラフィに用いられような２層機能分離型光スイッチング素子や３層機能分離型有機光スイッチング素子などの有機感光体素子が検討されている。
【０００７】
有機感光体素子は、交流駆動の液晶素子等に適用が可能な上、高温の熱処理が不要であり、ＰＥＴフィルムなどのフレキシブル基板に形成させることができる。
【０００８】
このように、コレステリック液晶を用いた光書き込み型記録媒体は、何度でも画像を書き換えができることから比較的寿命の短いドキュメントに好適である上、紙資源の枯渇化や廃棄物の増加といった問題を解く鍵を握るものと考えられる。
【０００９】
さらに、画像を表わす光を照射するとともに所定の電圧を印加すると瞬時にその画像が記録されるので、紙媒体にプリントするときのようにプリント時間によって思考が中断されることもない。
【００１０】
しかしながら、多量の情報を一度にハードコピーする場合には、従来から広く用いられている、紙媒体を用いる電子写真方式のレーザプリンタ等が、紙媒体を搬送しながら、例えばライン毎に逐次画像を記録するのに対し、光書き込み型の画像記録媒体は、その画像記録媒体に書き込むべき画像を表わす光を一度に一括照射し画像記録媒体全体に画像を一度に書き込むため、紙媒体のように画像記録媒体を搬送しながらの記録は困難と考えられる。
【００１１】
【発明が解決しようとする課題】
本発明は、上記の事情に鑑み、画像を表わす光を照射するとともに所定の電圧を印加すると瞬時にその画像が記録される、光書き込み型の画像記録媒体の特性を生かした、多量の情報を複数の光書き込み型記録媒体に高速記録することができる画像記録装置を提供することを目的とする。
【００１２】
【課題を解決するための手段】
上記の目的を達成する本発明の画像記録装置は、画像信号に応じた画像を表示する画像表示部と、
上記画像表示部に表示された画像を複数の結像位置に結像させる結像光学系と、
画像を表わす光の照射と電圧の印加とにより該画像が記録される複数の画像記録媒体を上記複数の結像位置に交互にあるいは循環的に搬送する搬送部と、
上記複数の結像位置それぞれに搬送されてきた各画像記録媒体に電圧を印加する各電圧印加手段を有する複数の画像書込部とを備えたことを特徴とする。
【００１３】
このように、画像書込部が複数あり、画像記録媒体を１つの画像書込部に搬送しているときに、別の画像書込部で画像を記録するので、画像記録媒体の搬送と画像の記録とを、見掛け上同時に行うことができるので、画像記録媒体の持つ高速記録性を生かした高速の画像記録装置を実現することできる。
【００１４】
【発明の実施の形態】
以下本発明の光書き込み型画像記録装置の実施形態について説明する。
【００１５】
図１は、本発明の第１の実施形態の画像記録装置を示す概略構成図である。
【００１６】
図１に示す画像記録装置は、パーソナルコンピュータから入力される画像信号、あるいはスキャナなどで読み取った画像信号に応じた画像をディスプレイする画像表示部１０と、画像表示部１０にディスプレイされた画像を２箇所の画像書込部４０ａ，４０ｂの結像位置に結像させる結像光学系３０と、画像を表わす光の照射と電圧の印加とにより、その画像が記録される光書き込み型の画像記録媒体２０を収容する、図示しないトレイ４５と、結像光学系３０により画像表示部１０にディスプレイされた画像を結像させた結像位置に設けられたプラテン４１ａ，４１ｂおよびそのプラテン４１ａ，４１ｂ上に配置される画像記録媒体２０に電圧を印加する電圧印加部を有する２つの画像書込部４０ａ，４０ｂと、２つの画像書込部４０ａ，４０ｂに交互に、トレイに収容された画像記録媒体２０を搬送する図示しない搬送部２５，２６とを備えている。また、本実施形態では、搬送部に、画像記録媒体２０を２つの画像書込部４０ａ，４０ｂのプラテン４１ａ，４１ｂに交互に搬送させるとともに、画像書込部４０ａ，４０ｂの電圧印加手段によりプラテン上に配置された画像記録媒体に電圧を印加させることによりプラテンに結像させた画像を記録する図示しない制御部５０とを備えている。
【００１７】
本実施形態の結像光学系３０は、画像表示部１０にディスプレイされた画像を表わす光を所定の向きに全反射する６つのミラー３１と、一部を透過し、一部を反射する１つのハーフミラー３２と、等倍像を結像する２つのレンズアレイ３３とを備えている。ミラー３１により全反射した画像を表わす光は、ハーフミラー３２により、透過光と反射光とに分離され、分離された光は、それぞれ１つのレンズアレイ３３により２つの画像書込部４０ａ，４０ｂの所定の結像位置に結像させるとともに、それぞれ２つのミラー３１によりそれぞれの結像位置に設けられたプラテン４１ａ，４１ｂに光路が向けられ、それぞれのプラテン４１ａ，４１ｂに同時に結像させることができる。
【００１８】
ここで、本実施形態には、一対の電極間に液晶層と、遮光層と、光導電層とが積層され、電極間に電圧を印加すると、液晶層、光導電層それぞれには分圧された電圧が印加され、そのとき光導電層に画像を表わす光が照射されると光導電層の抵抗値が照射された光量分布に応じて変化し、液晶層の透過率、吸収率、反射率などの光学特性が変化することによる画像が記録される画像記録媒体を用いることができる。なお、液晶層のこの光学変化を読み取るために液晶層に読取光を入射する場合には、その読取光が光導電層へ達すると光導電層の抵抗値が変化するので、液晶層と光導電層との間に遮光層を設けることもできる。液晶層には、光学変化をそのまま維持し表示を保存するため、液晶層には電圧除去後も変化した配向状態が維持されるメモリー性液晶が用いられ、可視波長域を選択反射する性質を持ったコレステリック液晶が好適に利用される。コレステリック液晶は、螺旋状の分子配向を持ち、螺旋軸が基板法線にほぼ平行となるプレーナ配向（Ｐ配向）では選択反射により呈色し、螺旋軸が基板法線にほぼ垂直となるフォーカルコニック配向（Ｆ配向）では光を透過するので、遮光層の色（例えば、遮光層が黒色なら黒色）に呈色する。
【００１９】
この画像記録装置を用いて複数の画像記録媒体２０に同じ画像を記録する、いわゆる複写機能を実行するときは、制御部５０は、画像表示部１０に画像が表示されたのを確認した後、搬送部２５，２６に、２箇所の画像書込部４０ａ，４０ｂに交互に画像記録媒体２０を搬送させ、プラテン上に画像記録媒体が配置された画像書込部の電圧印加手段からその画像記録媒体に電圧を印加させて、プラテン上に結像させた画像を記録する。なお、画像書込部４０ａ，４０ｂは、画像が記録された画像記録媒体２０を所定の位置に排出する。以下、必要な枚数分、同じ動作を繰り返した後、画像表示部に表示された画像を切り替える。
【００２０】
また、この画像記録装置を用いて複数の画像記録媒体２０に異なる画像を記録する、いわゆるプリンター機能を実行するときは、制御部５０は、画像表示部１０に画像が表示されたのを確認した後、搬送部２５に、一方の画像書込部４０ａに画像記録媒体２０を搬送させ、プラテン４１ａ上に画像記録媒体が配置された、一方の画像書込部４０ａの電圧印加手段からその画像記録媒体２０に電圧を印加させて、プラテン４１ａ上に結像させた画像を記録する。同時に、搬送部２６に、他方の画像書込部４０ｂに画像記録媒体２０を搬送させる。そして、一方の画像書込部４０ａで画像が記録された後、画像が記録された画像記録媒体２０を所定の位置に排出するとともに、画像表示部１０に次の画像を表示させ、他方の画像書込部４０ｂのプラテン４１ｂ上に配置された画像記録媒体２０に、他方の画像書込部４０ｂの電圧印加手段からその画像記録媒体２０に電圧を印加させて、プラテン４１ｂ上に結像させた次の画像を記録する。以下、必要なページ数分、同じ動作を繰り返す。
【００２１】
図２は、本実施形態の光書き込み型の画像記録媒体を搬送する搬送部を示す概略構成図である。
【００２２】
図２において、光書き込み型の画像記録媒体２０を収容する２つのトレイ４５ａ，４５ｂと、それぞれのトレイに収容された光書き込み型の画像記録媒体２０を対応する画像書込部４０ａに搬送するガイドロール２５ａ，２５ｂ，２５ｃからなる搬送部２５と、対応する画像書込部４０ｂに搬送するガイドロール２６ａ，２６ｂ，２６ｃからなる搬送部２６とを備えており、搬送部２５，２６は、さらに画像が記録された画像記録媒体２０を排出部２８に搬送する共用ガイドロール２７を有している。
【００２３】
一方の画像書込部４０ａで画像記録媒体２０に画像を記録する場合は、制御部５０の指示に従い、一方のトレイ４５ａに収容されている画像記録媒体２０を取り出し、そのトレイ４５ａに対応する画像書込部４０ａに搬送するとともに、その取り出した画像記録媒体２０を、画像を結像させるプラテン４１ａ上に密着させる。すると、その画像記録媒体２０には図示しない画像表示部１０に表示された画像が結像されているので、制御部５０の指示に従って画像書込部４０ａの電圧印加手段４２ａに電圧を印加させることによりその画像が記録される。記録が終了した画像記録媒体２０は、ガイドロール２５ｃと共用ガイドロール２７とにより排出部２８に搬送される。
【００２４】
他方の画像書込部４０ｂで画像記録媒体２０に画像を記録する場合は、制御部５０の指示に従い、他方のトレイ４５ｂに収容されている画像記録媒体２０を取り出し、そのトレイ４５ｂに対応する画像書込部４０ｂに搬送するとともに、その取り出した画像記録媒体２０を、画像を結像させるプラテン４１ｂ上に密着させる。すると、その画像記録媒体２０には図示しない画像表示部１０に表示された画像が結像されているので、制御部５０が画像書込部４０ｂの電圧印加手段４２ｂに電圧を印加させることによりその画像が記録される。記録が終了した画像記録媒体２０は、ガイドロール２６ｃと共用ガイドロール２７とにより排出部２８に搬送される。
【００２５】
ここで、本実施形態においては、２つの画像書込部４０ａ，４０ｂに対応させて２つのトレイ４５ａ，４５ｂを有するが、トレイは、必ずしも画像書込部に対応させて複数備える必要はなく、１つを共用することもできる。
【００２６】
図３は、２つの画像書込部４０ａ，４０ｂに対し、１つのトレイを共用する場合の構成例を示す図である。
【００２７】
図３に示すように、１つのトレイ４５から取り出された画像記録媒体２０は、制御部の指示に基づいて、共用ガイドロール２９によって２つの画像書込部４０ａ，４０ｂの何れか一方に振り分けられて搬送される。
【００２８】
図４は、結像位置側から見た画像書込部とその結像位置に搬送される画像記録媒体とを示す図である。
【００２９】
図４において、一対の電極間２１ａ，２１ｂと、その電極２１ａ，２１ｂが形成された基板間にコレステリック液晶からなる液晶層と光導電層とが積層されてなる表示領域２２とを有する画像記録媒体２０があり、その画像記録媒体２０は、搬送部２５により搬送されて画像書込部４０ａの結像位置に配置される。
【００３０】
画像書込部４０ａは、ガイドロール２５ｂが設けてあり、そのガイドロール２５ｂは、搬送部２５により搬送された画像記録媒体２０を結像位置に設けられたプラテン４１ａ上の所定の位置に配置する。そして、画像書込部４０ａの図示しない電圧印加部４２ａは、図示しない制御部の指示により給電用ガイドロール２４に給電し、その給電用ガイドロール２４を介して画像記録媒体２０に所定の電圧が印加される。
【００３１】
図５は、プラテン上に配置され、画像が記録された後に排出される画像記録媒体を示す図である。
【００３２】
図５（ａ）に示すように、画像記録媒体２０は搬送部２５により画像書込部４０ａに搬送され、図４（ｂ）に示すように、ガイドロール２５ｂによって画像表示部に表示された画像が結像されるプラテン上４１ａに配置される。そして、その画像を表わす光が照射されるとともに、図示しない電圧印加部４２ａから給電用ガイドロール２４に給電され、その給電用ガイドロール２４を介して画像記録媒体２０に所定の電圧が印加され、画像が記録される。画像が記録された画像記録媒体２０は、図４（ｃ）に示すように、ガイドロール２５ｂによって、図示しない排出部に送られる。
【００３３】
図６は、本実施形態の画像記録装置の制御部の作用を説明するタイムチャートである。
【００３４】
図６において、第１段目は、搬送部に、一方の画像書込部へ画像記録媒体を搬送させるタイムチャート、第２段目は、一方の画像書込部の電圧印加手段に電圧を印加させて、画像記録媒体に画像を記録するタイムチャート、第３段目は、搬送部に、他方の画像書込部へ画像記録媒体を搬送させるタイムチャート、第４段目は、他方の画像書込部の電圧印加手段に電圧を印加させて、画像記録媒体に画像を記録するタイムチャートを表わしている。
【００３５】
ここでは、複数の画像記録媒体に連続して画像を記録する場合を示しており、それぞれのトレイから画像書込部のプラテン上に画像記録媒体を搬送する搬送時間をＴｔ、画像書込部のプラテンに結像光が照射されるとともに、プラテン上の画像記録媒体に電圧を印加させて画像を記録するのに必要な記録時間をＴｒ（ただし、動作に必要なマージンを含む。）、各画像書込部で画像を記録する画像記録周期をＴｐとする。
【００３６】
まず１枚目の記録を行うために、一方のトレイに収容されている１枚目の画像記録媒体を、一方の画像書込部に搬送時間Ｔｔで搬送させる。次に、一方の画像書込部で記録時間Ｔｒをかけて１枚目の画像記録媒体に画像を記録する。
【００３７】
２枚目の記録は、１枚目の画像記録媒体の搬送を開始してから画像記録周期Ｔｐだけずれた時間、実際には（Ｔｔ＋Ｔｒ）／２時間だけずれた時間から、他方のトレイに収容されている１枚目の画像記録媒体を他方の画像書込部に搬送時間Ｔｔで搬送する。そして、他方の画像書込部で記録時間Ｔｒをかけて２枚目の画像記録媒体に画像を記録する。
【００３８】
３枚目の記録は、１枚目の画像記録媒体に画像が記録された後、一方の画像書込部に、一方のトレイに収容されている２枚目の画像記録媒体を搬送時間Ｔｔで搬送させ、記録時間Ｔｒをかけて画像を記録する。
【００３９】
４枚目の記録は、２枚目の画像記録媒体に画像が記録された後、他方の画像書込部に、他方のトレイに収容されている２枚目の画像記録媒体を搬送時間Ｔｔで搬送させ、記録時間Ｔｒをかけて画像を記録する。
【００４０】
以下、同様の動作を順次繰り返すことにより連続して複数の画像記録媒体に画像を記録することができる。
【００４１】
ここでは、画像表示部に表示される画像の切り替えについては省略して説明しているが、いわゆるプリンター機能を用いる場合には、記録時間Ｔｒの範囲内で、画像表示部の画像を順次切り替えればよい。
【００４２】
本実施形態の画像記録装置により画像を記録する場合には、画像記録媒体を２つの画像書込部へ独立して交互に搬送されるので、２つの画像書込部で画像を記録するための動作を並行して行うことができる。また、２つの画像書込部で画像表示部を共用しているが、画像記録周期Ｔｐだけずらして使用され、また画像を記録するのに必要な記録時間Ｔｒは、画像記録周期Ｔｐに比べて充分短い時間であることから、プリンター機能を用いる場合であっても、画像表示部に表示される画像を切り替えながら、共用することができる。また、画像が記録された画像記録媒体を排出部に搬送する作業についても、例えば１枚目の画像記録媒体は、３枚目の画像記録媒体が画像書込部に搬送されるのと同時に排出すればよい。
【００４３】
このように、本実施形態の画像記録装置を用いれば、画像書込部が複数あり、画像記録媒体を一方の画像書込部に搬送しているときに、他方の画像書込部で画像を記録するので、画像記録媒体の搬送と画像の記録とを、見掛け上同時に行うことができる。したがって、光書き込み型の画像記録媒体の持つ高速記録性を生かした高速の画像記録装置を実現することが可能になる。また、画像書込部が複数必要になるが、高価である画像表示部は１個でよく、しかも単体にして高速にするよりは、低コストに構成することができる。
【００４４】
次に、第２の実施形態について説明する。
【００４５】
第２の実施形態の画像記録装置は、第１の実施形態の画像記録装置に較べて、画像書込部を３つ備えるとともに、結像光学系に光路を分岐するビームスプリッタを備える点などが相違するが、それ以外の点は共通するので、同一の構成要素には同一の符号を付し、相違点について説明する。
【００４６】
図７は、第２の実施形態の画像記録装置を示す概略構成図である。
【００４７】
図７に示す画像記録装置は、パーソナルコンピュータから入力される画像信号、あるいはスキャナなどで読み取った画像信号に応じた画像をディスプレイする画像表示部１０と、画像表示部１０にディスプレイされた画像を３箇所の画像書込部４０ａ，４０ｂ，４０ｃの結像位置に結像させる結像光学系３０と、画像を表わす光の照射と電圧の印加とにより、その画像が記録される光書き込み型の画像記録媒体２０を収容する、図示しないトレイ４５と、結像光学系３０により画像表示部１０にディスプレイされた画像を結像させた結像位置に設けられたプラテン４１ａ，４１ｂ，４１ｃおよびそのプラテン４１ａ，４１ｂ，４１ｃ上に配置される画像記録媒体２０に電圧を印加する電圧印加部を有する３つの画像書込部４０ａ，４０ｂ，４０ｃと、３つの画像書込部４０ａ，４０ｂ，４０ｃのうちの所定の画像書込部に、トレイ４５に収容された画像記録媒体２０を搬送する図示しない搬送部と、その搬送部に、画像記録媒体２０を３つの画像書込部４０ａ，４０ｂ，４０ｃのプラテン４１ａ，４１ｂ，４１ｃに順次搬送させるとともに、画像書込部４０ａ，４０ｂ，４０ｃの電圧印加手段によりプラテン上に配置された画像記録媒体２０に電圧を印加させることによりプラテンに結像させた画像を記録する図示しない制御部５０とを備えている。
【００４８】
本実施形態の結像光学系３０は、画像表示部１０にディスプレイされた画像を表わす光を所定の向きに全反射する８つのミラー３１と、画像表示部１０に表示された画像を表わす光が最初のミラー３１ａで反射した反射光の光量の２／３を透過し、１／３を反射するビームスプリッタ３４と、ビームスプリッタ３４が透過した透過光の１／２を透過し、１／２を反射するハーフミラー３２と、等倍像を結像する３つのレンズアレイ３３とを備えている。
【００４９】
最初のミラー３１ａにより全反射した画像を表わす光は、ビームスプリッタ３４とハーフミラー３２とにより、光量が１／３づつに等分されて、分離された光は、それぞれ１つのレンズアレイ３３により３つの画像書込部４０ａ，４０ｂ，４０ｃの所定の結像位置に結像させるとともに、それぞれ２つのミラー３１によりそれぞれの結像位置に設けられたプラテン４１ａ，４１ｂ，４１ｃに光路が向けられ、それぞれのプラテン４１ａ，４１ｂ，４１ｃ上に同時に結像される。
【００５０】
ここで、本実施形態では、光量の２／３を透過し、１／３を反射するビームスプリッタ３４と、ビームスプリッタ３４が透過した透過光の１／２を透過し、１／２を反射するハーフミラー３２との組み合わせにより画像を表わす光を３分割しているが、光量の３／４を透過し、１／４を反射するビームスプリッタ、光量の２／３を透過し、１／３を反射するビームスプリッタ、およびハーフミラーの組み合わせにより画像を表わす光を４分割することもできる。なお、その場合、画像表示部と各画像書込部との間の距離に応じて、レンズアレイの焦点距離を変える必要がある。
【００５１】
この画像記録装置を用いて複数の画像記録媒体２０に同じ画像を記録する、いわゆる複写機能を実行するときは、制御部５０は、画像表示部１０に画像が表示されたのを確認した後、搬送部に、３箇所の画像書込部４０ａ，４０ｂ，４０ｃに順次画像記録媒体２０を搬送させ、プラテン上に画像記録媒体が配置された画像書込部の電圧印加手段からその画像記録媒体に電圧を印加させて、プラテン上に結像させた画像を記録する。なお、画像書込部４０ａ，４０ｂ，４０ｃは、画像が記録された画像記録媒体２０を所定の位置に排出する。以下、必要な枚数分、同じ動作を繰り返す。
【００５２】
また、この画像記録装置を用いて複数の画像記録媒体２０に異なる画像を記録する、いわゆるプリンター機能を実行するときは、制御部５０は、画像表示部１０に画像が表示されたのを確認した後、搬送部に、図の最上部に位置する画像書込部４０ａに画像記録媒体２０を搬送させ、プラテン４１ａ上に画像記録媒体が配置された画像書込部４０ａの電圧印加手段からその画像記録媒体２０に電圧を印加させて、プラテン４１ａ上に結像させた画像を記録する。同時に、搬送部に、図の中段に位置する画像書込部４０ｂに画像記録媒体２０を搬送させる。そして、図の最上部に位置する画像書込部４０ａで画像が記録された後、画像が記録された画像記録媒体２０を所定の位置に排出するとともに、画像表示部１０に次の画像を表示させ、図の中段に位置する画像書込部４０ｂのプラテン４１ｂ上に配置された画像記録媒体２０に、その画像書込部４０ｂの電圧印加手段からその画像記録媒体２０に電圧を印加させて、プラテン４１ｂ上に結像させた次の画像を記録する。同時に、搬送部に、図の下段に位置する画像書込部４０ｃに画像記録媒体２０を搬送させる。そして、図の中段に位置する画像書込部４０ｂで画像が記録された後、画像が記録された画像記録媒体２０を所定の位置に排出するとともに、画像表示部１０に次の画像を表示させ、図の下段に位置する画像書込部４０ｃのプラテン４１ｃ上に配置された画像記録媒体２０に、その画像書込部４０ｃの電圧印加手段からその画像記録媒体２０に電圧を印加させて、プラテン４１ｃ上に結像させた次の画像を記録する。以下、必要なページ数分、同じ動作を繰り返す。
【００５３】
本実施形態の画像記録装置により画像を記録する場合には、画像記録媒体を３つの画像書込部へそれぞれ独立して搬送されるので、３つの画像書込部で画像を記録するための動作を並行して行うことができる。また、第１の実施形態と較べて、プリントする速度をさらに高速にすることが可能になる。
【００５４】
次に、第３の実施形態について説明する。
【００５５】
第３の実施形態の画像記録装置は、第１の実施形態の画像記録装置に較べて、結像光学系に可動ミラーを備え、その可動ミラーの反射面の向きを変えることにより画像表示部に表示された画像を表わす光を２箇所の画像書込部に結像させる点は相違するが、それ以外の点は共通するので、同一の構成要素には同一の符号を付し、相違点について説明する。
【００５６】
図８は、第３の実施形態の画像記録装置を示す概略構成図である。
【００５７】
図８に示す画像記録装置は、パーソナルコンピュータから入力される画像信号、あるいはスキャナなどで読み取った画像信号に応じた画像をディスプレイする画像表示部１０と、画像表示部１０にディスプレイされた画像を反射面が複数の向きを向く可動両面ミラー３５により２箇所の画像書込部４０ａ，４０ｂの結像位置に結像させる結像光学系３０と、画像を表わす光の照射と電圧の印加とにより、その画像が記録される光書き込み型の画像記録媒体２０を収容する、図示しないトレイ４５と、結像光学系３０により画像表示部１０にディスプレイされた画像を結像させた結像位置に設けられたプラテン４１ａ，４１ｂおよびそのプラテン４１ａ，４１ｂ上に配置される画像記録媒体２０に電圧を印加する電圧印加部を有する２つの画像書込部４０ａ，４０ｂと、２つの画像書込部４０ａ，４０ｂのうちの所定の画像書込部に、トレイに収容された画像記録媒体２０を搬送する図示しない搬送部と、結像光学系３０の可動ミラーの反射面を状態Ａと状態Ｂのうちの何れかの状態にすることにより画像表示部１０に表示された画像を２つの画像書込部４０ａ，４０ｂの何れかの結像位置に結像させるとともに、搬送部に、画像記録媒体２０を２つの画像書込部４０ａ，４０ｂの、結像位置に備えるプラテン４１ａ，４１ｂに順次搬送させ、画像書込部４０ａ，４０ｂの電圧印加手段によりプラテン上に配置された画像記録媒体２０に電圧を印加させることにより結像位置に結像させた画像を記録する図示しない制御部５０とを備えている。
【００５８】
本実施形態の結像光学系３０は、画像表示部１０にディスプレイされた画像を表わす光を所定の向きに全反射する５つのミラー３１と、ステッピングモータによって駆動される反射面が２つの向きに向く可動両面ミラー３５とを備え、反射面を状態Ａと状態Ｂに変えることにより画像を表示する光を２つの画像書込部４０ａ，４０ｂの結像位置に順次結像させることができる。ミラー３１により全反射した画像を表わす光は、可動両面ミラー３５が状態Ａのときは、レンズアレイ３３ａおよびミラー３１により図の上段の画像書込部４０ａの結像位置に結像し、可動両面ミラー３５が状態Ｂのときは、レンズアレイ３３ｂおよびミラー３１により図の下段の画像書込部４０ｂの結像位置に結像する。
【００５９】
この画像記録装置を用いて複数の画像記録媒体２０に同じ画像を記録する、いわゆる複写機能を実行するときは、制御部５０は、画像表示部１０に画像が表示されたのを確認した後、搬送部に、２箇所の画像書込部４０ａ，４０ｂに交互に画像記録媒体２０を搬送させ、プラテン上に画像記録媒体が配置された画像書込部の電圧印加手段からその画像記録媒体に電圧を印加させるとともに、可動両面ミラー３５を動かしてプラテン上に交互に結像させ、その結像させた画像を記録する。なお、画像書込部４０ａ，４０ｂは、画像が記録された画像記録媒体２０を所定の位置に排出する。以下、必要な枚数分、同じ動作を繰り返す。
【００６０】
また、この画像記録装置を用いて複数の画像記録媒体２０に異なる画像を記録する、いわゆるプリンター機能を実行するときは、制御部５０は、画像表示部１０に画像が表示されたのを確認した後、搬送部２５に、一方の画像書込部４０ａに画像記録媒体２０を搬送させ、プラテン４１ａ上に画像記録媒体が配置された、一方の画像書込部４０ａの電圧印加手段からその画像記録媒体２０に電圧を印加させるとともに、可動両面ミラー３５を状態Ａに動かしてプラテン４１ａ上に結像させ、その結像させた画像を記録する。同時に、搬送部２６に、他方の画像書込部４０ｂに画像記録媒体２０を搬送させる。そして、一方の画像書込部４０ａで画像が記録された後、画像が記録された画像記録媒体２０を所定の位置に排出するとともに、画像表示部１０に次の画像を表示させ、他方の画像書込部４０ｂのプラテン４１ｂ上に配置された画像記録媒体２０に、他方の画像書込部４０ｂの電圧印加手段からその画像記録媒体２０に電圧を印加させるとともに、可動両面ミラー３５を状態Ｂに動かしてプラテン４１ｂ上に結像させ、その結像させた画像を記録する。以下、必要なページ数分、同じ動作を繰り返す。
【００６１】
本実施形態においても、トレイから各画像書込部に交互に画像記録媒体を搬送し、一方が搬送されているときに、他方の画像書込部で画像を記録するので、第１および第２の実施形態と同様に、画像記録媒体の搬送と画像の記録を見掛け上同時に行うことができるので、光書き込み型画像記録媒体のもつ高速記録性を生かした高速な記録装置を実現することが可能になる。
【００６２】
次に第４の実施形態について説明する。
【００６３】
第４の実施形態の画像記録装置は、第３の実施形態の画像記録装置と較べて、画像書込部を３つ備え、結像光学系の可動ミラーが状態Ａ、Ｂ、Ｃをとるとともに、レンズアレイを４つ備える点は相違するが、それ以外の点は共通するので同一の構成要素には同一の符号を付し、相違点について説明する。
【００６４】
図９は、第４の実施形態の画像記録装置を示す概略構成図である。
【００６５】
図９に示す画像記録装置は、画像表示部１０と、画像表示部１０にディスプレイされた画像を反射面がＡ，Ｂ，Ｃの状態をとり３つの向きを向く可動ミラー３６により３箇所の画像書込部４０ａ，４０ｂ，４０ｃの結像位置に結像させる結像光学系３０と、画像を表わす光の照射と電圧の印加とにより、その画像が記録される光書き込み型の画像記録媒体２０を収容する、図示しないトレイ４５と、結像光学系３０により画像表示部１０にディスプレイされた画像を結像させた結像位置に設けられたプラテン４１ａ，４１ｂ，４１ｃおよびそのプラテン４１ａ，４１ｂ，４１ｃ上に配置される画像記録媒体２０に電圧を印加する電圧印加部を有する３つの画像書込部４０ａ，４０ｂ，４０ｃと、３つの画像書込部４０ａ，４０ｂのうちの所定の画像書込部に、トレイに収容された画像記録媒体２０を搬送する図示しない搬送部と、結像光学系３０の可動ミラー３６の反射面を状態Ａ，Ｂ，Ｃのうちの何れかの状態に動かして画像表示部１０に表示された画像を３つの画像書込部４０ａ，４０ｂ，０ｃに循環的に結像させるとともに、搬送部に、画像記録媒体２０を３つの画像書込部４０ａ，４０ｂ，４０ｃのうちの、画像を結像させた結像位置に備えるプラテンに搬送させ、その結像位置の電圧印加手段によりプラテン上に配置された画像記録媒体２０に電圧を印加させることにより画像を記録する図示しない制御部５０とを備えている。
【００６６】
本実施形態の結像光学系３０は、画像表示部１０にディスプレイされた画像を表わす光を所定の向きに全反射する７つのミラー３１と、反射面が３つの状態Ａ，Ｂ，Ｃをとる可動ミラー３６とを備え、ステッピングモータにより駆動して反射面を状態Ａ，Ｂ，Ｃに変えることにより画像を表示する光を３つの画像書込部４０ａ，４０ｂ，４０ｃの結像位置に循環的に結像させることができる。
【００６７】
ミラー３１により全反射した画像を表わす光は、レンズアレイ３３により一旦可動ミラー３６の反射面に結像させる。そして、可動ミラー３６が状態Ａのときは、さらにレンズアレイ３３ａおよびミラー３１ａ，３１により図の上段の画像書込部４０ａの結像位置４１ａに結像させる。可動ミラー３５が状態Ｂのときは、さらにレンズアレイ３３ｂおよびミラー３１により図の中段の画像書込部４０ｂの結像位置に結像させる。また、可動ミラー３６が状態Ｃのときは、さらにレンズアレイ３３ｃおよびミラー３１ｂ，３１により図の下段の画像書込部４０ｃの結像位置４１ｃに結像させる。
【００６８】
この画像記録装置を用いて複数の画像記録媒体２０に同じ画像を記録する、いわゆる複写機能を実行するときは、制御部５０は、画像表示部１０に画像が表示されたのを確認した後、搬送部に、３箇所の画像書込部４０ａ，４０ｂ，４０ｃに循環的に画像記録媒体２０を搬送させ、プラテン上に画像記録媒体が配置された画像書込部の電圧印加手段からその画像記録媒体に電圧を印加させるとともに、可動ミラー３６を動かしてプラテン上に循環的に結像させ、その結像させた画像を記録する。なお、画像書込部４０ａ，４０ｂ、４０ｃは、画像が記録された画像記録媒体２０を所定の位置に排出する。以下、必要な枚数分、同じ動作を繰り返す。
【００６９】
また、この画像記録装置を用いて複数の画像記録媒体２０に異なる画像を記録する、いわゆるプリンター機能を実行するときは、制御部５０は、画像表示部１０に画像が表示されたのを確認した後、搬送部に、例えば、図の上段にある画像書込部４０ａに画像記録媒体２０を搬送させ、プラテン４１ａ上に画像記録媒体が配置された、画像書込部４０ａの電圧印加手段からその画像記録媒体２０に電圧を印加させるとともに、可動ミラー３６を状態Ａに動かしてプラテン４１ａ上に結像させ、その結像させた画像を記録する。同時に、搬送部に、図の中段にある画像書込部４０ｂに画像記録媒体２０を搬送させる。そして、図の上段にある画像書込部４０ａで画像が記録された後、画像が記録された画像記録媒体２０を所定の位置に排出するとともに、画像表示部１０に次の画像を表示させ、図の中段にある画像書込部４０ｂのプラテン４１ｂ上に配置された画像記録媒体２０に、図の中段にある画像書込部４０ｂの電圧印加手段からその画像記録媒体２０に電圧を印加させるとともに、可動ミラー３６を状態Ｂに動かしてプラテン４１ｂ上に結像させ、その結像させた画像を記録する。同時に、搬送部に、図の下段にある画像書込部４０ｃに画像記録媒体２０を搬送させる。そして、図の中段にある画像書込部４０ｂで画像が記録された後、画像が記録された画像記録媒体２０を所定の位置に排出するとともに、画像表示部１０に次の画像を表示させ、図の下段にある画像書込部４０ｃのプラテン４１ｃ上に配置された画像記録媒体２０に、図の下段にある画像書込部４０ｃの電圧印加手段からその画像記録媒体２０に電圧を印加させるとともに、可動ミラー３６を状態Ｃに動かしてプラテン４１ｃ上に結像させ、その結像させた画像を記録する。以下、必要なページ数分、同じ動作を繰り返す。
【００７０】
本実施形態においても、トレイから各画像書込部に交互に画像記録媒体を搬送し、一方が搬送されているときに、他方の画像書込部で画像を記録するので、画像記録媒体の搬送と画像の記録を見掛け上同時に行うことができるので、光書き込み型画像記録媒体のもつ高速記録性を生かした高速な記録装置を実現することが可能になる。
【００７１】
次に、第５の実施形態について説明する。
【００７２】
第５の実施形態の画像記録装置は、第３の画像記録装置に較べて、結像光学系に、反射面が所定の角度回転する可動ミラーを備え、その可動ミラーを回転させることにより画像表示部に表示された画像を２つの画像書込部に結像させる点が相違するが、それ以外の点は共通するので同一の構成要素には同一の符号を付し、相違点について説明する。
【００７３】
図１０は、第５の実施形態の画像記録装置を示す概略構成図である。
【００７４】
図１０に示す画像記録装置は、パーソナルコンピュータから入力される画像信号、あるいはスキャナなどで読み取った画像信号に応じた画像をディスプレイする画像表示部１０と、画像表示部１０にディスプレイされた画像を反射面が所定の角度回転する可動ミラー３７により２箇所の画像書込部４０ａ，４０ｂの結像位置に結像させる結像光学系３０と、画像を表わす光の照射と電圧の印加とにより、その画像が記録される光書き込み型の画像記録媒体２０を収容する、図示しないトレイ４５と、結像光学系３０により画像表示部１０にディスプレイされた画像を結像させた結像位置に設けられたプラテン４１ａ，４１ｂおよびそのプラテン４１ａ，４１ｂ上に配置される画像記録媒体２０に電圧を印加する電圧印加部を有する２つの画像書込部４０ａ，４０ｂと、２つの画像書込部４０ａ，４０ｂのうちの所定の画像書込部に、トレイに収容された画像記録媒体２０を搬送する図示しない搬送部と、結像光学系３０の可動ミラーの反射面を状態Ａと状態Ｂのうちの何れかの状態にすることにより画像表示部１０に表示された画像を２つの画像書込部４０ａ，４０ｂの何れかの結像位置に交互に結像させるとともに、搬送部に、画像記録媒体２０を２つの画像書込部４０ａ，４０ｂの、結像位置に備えるプラテン４１ａ，４１ｂに交互に搬送させ、画像書込部４０ａ，４０ｂの電圧印加手段によりプラテン上に配置された画像記録媒体２０に電圧を印加させることにより結像位置に結像させた画像を記録する図示しない制御部５０とを備えている。
【００７５】
本実施形態の結像光学系３０は、画像表示部１０にディスプレイされた画像を表わす光を所定の向きに全反射する５つのミラー３１と、ステッピングモータによって駆動される反射面が所定の角度回転する可動ミラー３７とを備え、反射面を状態Ａと状態Ｂに変えることにより画像を表示する光を２つの画像書込部４０ａ，４０ｂの結像位置に順次結像させることができる。ミラー３１により全反射した画像を表わす光は、可動ミラー３７が状態Ａのときは、レンズアレイ３３、３３ａおよびミラー３１により図の上段の画像書込部４０ａの結像位置４１ａに結像し、可動ミラー３７が状態Ｂのときは、レンズアレイ３３およびミラー３１により図の下段の画像書込部４０ｂの結像位置に結像する。
【００７６】
本実施形態の可動ミラーが状態Ａをとったときと状態Ｂをとったときでは、画像表示部１０に表示された画像が結像されるまでの光路長が異なるとともに、レンズアレイ３３がそれぞれの光路で兼用されている。したがって、レンズアレイ３３が単焦点である場合には両光路で所定の結像位置に結像させるため、光路長が長い図の上段の画像書込部４０ａに向けた光路上にレンズアレイ３３ａを設けている。なお、レンズアレイ３３が可変焦点レンズであり、２つの画像書込部４０ａ，４０ｂに結像させることが可能であれば、レンズアレイ３３ａは省略してもよい。
【００７７】
この画像記録装置を用いて複数の画像記録媒体２０に同じ画像を記録する、いわゆる複写機能を実行するときは、制御部５０は、画像表示部１０に画像が表示されたのを確認した後、搬送部に、２箇所の画像書込部４０ａ，４０ｂに交互に画像記録媒体２０を搬送させ、プラテン上に画像記録媒体が配置された画像書込部の電圧印加手段からその画像記録媒体に電圧を印加させるとともに、可動ミラー３７を動かしてプラテン上に交互に結像させ、その結像させた画像を記録する。なお、画像書込部４０ａ，４０ｂは、画像が記録された画像記録媒体２０を所定の位置に排出する。以下、必要な枚数分、同じ動作を繰り返す。
【００７８】
また、この画像記録装置を用いて複数の画像記録媒体２０に異なる画像を記録する、いわゆるプリンター機能を実行するときは、制御部５０は、画像表示部１０に画像が表示されたのを確認した後、搬送部に、図の上段の画像書込部４０ａに画像記録媒体２０を搬送させ、プラテン４１ａ上に画像記録媒体が配置された画像書込部４０ａの電圧印加手段からその画像記録媒体２０に電圧を印加させるとともに、可動ミラー３７を状態Ａに動かしてプラテン４１ａ上に結像させ、その結像させた画像を記録する。同時に、搬送部に、図の下段の画像書込部４０ｂに画像記録媒体２０を搬送させる。そして、図の上段の画像書込部４０ａで画像が記録された後、画像が記録された画像記録媒体２０を所定の位置に排出するとともに、画像表示部１０に次の画像を表示させ、図の下段の画像書込部４０ｂのプラテン４１ｂ上に配置された画像記録媒体２０に、その画像書込部４０ｂの電圧印加手段からその画像記録媒体２０に電圧を印加させるとともに、可動ミラー３７を状態Ｂに動かしてプラテン４１ｂ上に結像させ、その結像させた画像を記録する。以下、必要なページ数分、同じ動作を繰り返す。
【００７９】
本実施形態においても、トレイから各画像書込部に交互に画像記録媒体を搬送し、一方が搬送されているときに、他方の画像書込部で画像を記録するので、第１および第２の実施形態と同様に、画像記録媒体の搬送と画像の記録を見掛け上同時に行うことができるので、光書き込み型画像記録媒体のもつ高速記録性を生かした高速な記録装置を実現することが可能になる。
【００８０】
次に、第６の実施形態について説明する。
【００８１】
第６の実施形態の画像記録装置は、第５の画像記録装置に較べて、結像光学系に、反射面が所定の角度回転する可動ミラーを３つ備え、所定の可動ミラーを回転させることにより画像表示部に表示された画像を所定の画像書込部に結像させる点が相違するが、それ以外の点は共通するので同一の構成要素には同一の符号を付し、相違点について説明する。
【００８２】
図１１は、第６の実施形態の画像記録装置を示す概略構成図である。
【００８３】
図１１に示す画像記録装置は、画像表示部１０と、画像表示部１０にディスプレイされた画像を反射面が所定の角度回転する３つの可動ミラー３７ａ，３７ｂ，３７ｃのうちの何れかを動かすことにより３箇所の画像書込部４０ａ，４０ｂ，４０ｃのうちの何れかの結像位置に結像させる結像光学系３０と、画像を表わす光の照射と電圧の印加とにより、その画像が記録される光書き込み型の画像記録媒体２０を収容する、図示しないトレイ４５と、結像光学系３０により画像表示部１０にディスプレイされた画像を結像させた結像位置に設けられたプラテン４１ａ，４１ｂ，４１ｃおよびそのプラテン４１ａ，４１ｂ，４１ｃ上に配置される画像記録媒体２０に電圧を印加する電圧印加部を有する３つの画像書込部４０ａ，４０ｂ，４１ｃと、３つの画像書込部４０ａ，４０ｂ，４１ｃのうちの所定の画像書込部に、トレイに収容された画像記録媒体２０を搬送する図示しない搬送部と、結像光学系３０の３つの可動ミラーのうちの何れかの反射面を状態Ａと状態Ｂの何れかに切り替えることにより画像表示部１０に表示された画像を３つの画像書込部４０ａ，４０ｂ，４０ｃの何れかの結像位置に結像させるとともに、搬送部に、画像記録媒体２０を３つの画像書込部４０ａ，４０ｂ，４０ｃの、結像位置に備えるプラテン４１ａ，４１ｂ，４１ｃに順次搬送させ、画像書込部４０ａ，４０ｂ，４０ｃの電圧印加手段によりプラテン上に配置された画像記録媒体２０に電圧を印加させることにより結像位置に結像させた画像を記録する図示しない制御部５０とを備えている。
【００８４】
本実施形態の結像光学系３０は、画像表示部１０にディスプレイされた画像を表わす光を所定の向きに全反射する５つのミラー３１と、６つのレンズアレイ３３，３３ａ，３３ｂ，３３ｘ，３３ｙ，３３ｚと、ステッピングモータによって駆動される反射面が所定の角度回転する３つの可動ミラー３７ａ，３７ｂ，３７ｃとを備えている。
【００８５】
レンズアレイ３３ｘは、画像表示部１０にディスプレイされた画像を可動ミラー３７ｃに結像させ、レンズアレイ３３ｙは、可動ミラー３７ｃに結像された画像を可動ミラー３７ｂに結像させ、レンズアレイ３３ｚは、可動ミラー３７ｂに結像された画像を可動ミラー３７ａに結像させる。
【００８６】
レンズアレイ３３ｃは、可動ミラー３７ｃに結像させた画像を画像書込部４０ｃの結像位置に結像させ、レンズアレイ３３ｂは、可動ミラー３７ｂに結像させた画像を画像書込部４０ｂの結像位置に結像させ、レンズアレイ３３ａは、可動ミラー３７ｃに結像させた画像を画像書込部４０ａの結像位置に結像させる。
【００８７】
この画像記録装置を用いて複数の画像記録媒体２０に同じ画像を記録する、いわゆる複写機能を実行するときは、制御部５０は、画像表示部１０に画像が表示されたのを確認した後、搬送部に、３箇所の画像書込部４０ａ，４０ｂ，４０ｃに交互に画像記録媒体２０を搬送させ、プラテン上に画像記録媒体が配置された画像書込部の電圧印加手段からその画像記録媒体に電圧を印加させるとともに、可動ミラー３７ａ，３７ｂ，３７ｃを動かしてプラテン上に循環的に結像させ、その結像させた画像を記録する。なお、画像書込部４０ａ，４０ｂ，４０ｃは、画像が記録された画像記録媒体２０を所定の位置に排出する。以下、必要な枚数分、同じ動作を繰り返す。
【００８８】
また、この画像記録装置を用いて複数の画像記録媒体２０に異なる画像を記録する、いわゆるプリンター機能を実行するときは、制御部５０は、画像表示部１０に画像が表示されたのを確認した後、搬送部に、図の上段の画像書込部４０ａに画像記録媒体２０を搬送させ、プラテン４１ａ上に画像記録媒体が配置された画像書込部４０ａの電圧印加手段からその画像記録媒体２０に電圧を印加させるとともに、可動ミラー３７ｃ，３７ｂを状態Ａに、可動ミラー３７ａを状態Ｂに動かしてプラテン４１ａ上に結像させ、その結像させた画像を記録する。同時に、搬送部に、図の中段の画像書込部４０ｂに画像記録媒体２０を搬送させる。そして、図の上段の画像書込部４０ａで画像が記録された後、画像が記録された画像記録媒体２０を所定の位置に排出するとともに、画像表示部１０に次の画像を表示させ、図の中段の画像書込部４０ｂのプラテン４１ｂ上に配置された画像記録媒体２０に、その画像書込部４０ｂの電圧印加手段からその画像記録媒体２０に電圧を印加させるとともに、可動ミラー３７ｃを状態Ａに、可動ミラー３７ｂを状態Ｂに動かしてプラテン４１ｂ上に結像させ、その結像させた画像を記録する。同時に、搬送部に、図の下段の画像書込部４０ｃに画像記録媒体２０を搬送させる。そして、図の中段の画像書込部４０ｂで画像が記録された後、画像が記録された画像記録媒体２０を所定の位置に排出するとともに、画像表示部１０に次の画像を表示させ、図の下段の画像書込部４０ｃのプラテン４１ｃ上に配置された画像記録媒体２０に、その画像書込部４０ｃの電圧印加手段からその画像記録媒体２０に電圧を印加させるとともに、可動ミラー３７ｃを状態Ｂに動かしてプラテン４１ｃ上に結像させ、その結像させた画像を記録する。以下、必要なページ数分、同じ動作を繰り返す。
【００８９】
ここで、本実施形態では、画像書込部を３つ備える場合について説明したが、画像書込部は３つに限定されるものではなく、例えば図の点線で囲まれたバレンズアレイ３３ａ，３３ｚ、可動ミラー３７ａ、ミラー３１、および画像書込部４０ａからなるユニットを増設すれば、さらに多くの画像書込部を備える画像記録装置を構成することができる。また、説明を容易にするため、ミラー３７ａに可動ミラーを用いているが、画像書込部を３つ備える場合には、可動ミラーである必要はなく、常に状態Ｂである非可動ミラーを用いても良い。
【００９０】
本実施形態においても、トレイから各画像書込部に交互に画像記録媒体を搬送し、一方が搬送されているときに、他方の画像書込部で画像を記録するので、画像記録媒体の搬送と画像の記録を見掛け上同時に行うことが可能となり、光書き込み型画像記録媒体のもつ高速記録性を生かした高速な記録装置を実現することが可能になる。
【００９１】
【発明の効果】
本発明の記録装置によれば、画像記録媒体の搬送プロセスとその画像記録媒体に画像を記録するプロセスを同時に行うことが可能となるので、画像記録媒体への高速画像記録が可能になる。また高価な構成要素は１つに絞るとともに、安価な構成部品を用いてタイムシェヤリングおよびスペースシェヤリングにより高速化が実現されるので、装置全体の低コスト化が図れる。
【図面の簡単な説明】
【図１】本発明の第１の実施形態の画像記録装置を示す概略構成図である。
【図２】本実施形態の光書き込み型の画像記録媒体を搬送する搬送部を示す概略構成図である。
【図３】２つの画像書込部４０ａ，４０ｂに対し、１つのトレイを共用する場合の構成例を示す図である。
【図４】結像位置側から見た画像書込部とその結像位置に搬送される画像記録媒体とを示す図である。
【図５】プラテン上に配置され、画像が記録された後に排出される画像記録媒体を示す図である。
【図６】本実施形態の画像記録装置の制御部の作用を説明するタイムチャートである。
【図７】第２の実施形態の画像記録装置を示す概略構成図である。
【図８】第３の実施形態の画像記録装置を示す概略構成図である。
【図９】第４の実施形態の画像記録装置を示す概略構成図である。
【図１０】第５の実施形態の画像記録装置を示す概略構成図である。
【図１１】第６の実施形態の画像記録装置を示す概略構成図である。
【符号の説明】
１０　　画像表示部
２０　　画像記録媒体
２１ａ，２１ｂ　　電極
２２　　表示領域
２４　給電用ガイドロール
２５，２６　　搬送部
２５ａ，２５ｂ，２５ｃ，２６ａ，２６ｂ，２６ｃ　ガイドロール
２７，２９　　共用ガイドロール
２８　　排出部
３０　　結像光学系
３１，３１ａ，３１ｂ，３１ｃ　ミラー
３２　　ハーフミラー
３３，３３ａ，３３ｂ，３３ｃ，３３ｘ，３３ｙ，３３ｚ　レンズアレイ
３４　　ビームスプリッタ
３６，３７，３７ａ，３７ｂ，３７ｃ　可動ミラー
４０ａ、４０ｂ、４０ｃ　画像書込部
４１ａ，４１ｂ，４１ｃ　プラテン
４５、４５ａ，４５ｂ　　トレイ
５０　　制御部
【図１】
2004034672.tif 000003
【図２】
2004034672.tif 000004
【図３】
2004034672.tif 000005
【図４】
2004034672.tif 000006
【図５】
2004034672.tif 000007
【図６】
2004034672.tif 000008
【図７】
2004034672.tif 000009
【図８】
2004034672.tif 000010
【図９】
2004034672.tif 000011
【図１０】
2004034672.tif 000012
【図１１】
2004034672.tif 000013